(57)【要約】      （修正有）【課題】フォト裏板の背面に回動自在に保持されたスタンドを回動させることにより、フォト裏板の起立状態の位置決めができ、且つ、フォト裏板からスタンドが安易に抜けないように構成されたことを特徴とするスタンドホルダーを提供する。【解決手段】スタンド２０の末端に挿入ボスが突出するように、固定ボスがスタンド２０に埋め込まれて固定されており、挿入ボスが挿入できる挿入ボス受け筒がフォト裏板１０の裏面に埋め込まれて固定されており、挿入ボスを挿入ボス受け筒に挿入してスタンド２０を回動させることにより、フォト裏板１０の起立状態を横長又は縦長に起立させてスタンド２０が安易に抜け落ちないように起立させて保持できるように構成されたスタンドホルダーである。【選択図】図１
0003200409.tif 000002
【実用新案登録請求の範囲】
【請求項１】
フォト裏板の背面に回転自在に保持されたスタンドを回動させることにより、フォト裏板からスタンドが抜けないように構成されたことを特徴とするスタンドホルダー。
【請求項２】
スタンドの末端に挿入ボスが突出するように、固定ボスがスタンドに埋め込まれて固定されており、挿入ボスを挿入ボス受け筒に挿入してスタンドを回転させることにより、矩形フォト裏板の起立状態を横長または縦長に起立させて保持できるように構成したことを特徴とする請求項１記載のスタンドホルダー。
【請求項３】
スタンドの挿入ボスを挿入ボス受け筒に挿入する際に、挿入ボス受け筒の円筒部内側に縦方向のスリットが形成されており、挿入ボスの先端に一体的に形成されている円柱形の突起をスリットに合わせて挿入し、次いで挿入後スタンドを回転させることにより、挿入ボスの突起が円筒部の内側に形成された凸部の抵抗を受けつつ乗り越えて凸部の角に突起のアール部が接し、抜け止めリブに滑り込み、これによりスタンドが抜け止めリブに位置している事が確認でき、且つスタンドが抜けないことを特徴とする請求項１記載のスタンドホルダー。
【請求項４】
挿入ボスに設けられた突起が抜け止めリブの位置にある場合、押しバネによって常にフランジを押し上げるため、突起が抜け止めリブの位置にあってもテンションがかかり、空回りを防ぐので、スタンドを常に好適な位置に保持することができることを特徴とする請求項１記載のスタンドホルダー。
【考案の詳細な説明】
【技術分野】
【０００１】  本考案はスタンドホルダーに関し、特にフォト裏板の背面に回動自在に保持されたスタンドを回動させることにより、好適な位置にスタンドを止めることができ、その際、フォト裏板からスタンドが抜け落ちないように構成されたスタンドホルダーに関する。
【背景技術】
【０００２】  スタンドの末端に挿入ボスが突出するように、固定ボスがスタンドに埋め込まれて固定されており、挿入ボス受け筒がフォト裏板の裏面に埋め込まれ固定されており、挿入ボスを固定ボス受け筒に挿入してスタンドを回動させることにより矩形フォト裏板の起立状態を横長又は縦長に起立させて保持でき、且つ、フォト裏板からスタンドが抜け落ちることがないように構成されたスタンドホルダーを提供する。【０００３】  従来、スタンドプレートの起立状態の位置決めができるように構成したスタンドホルダーは、種々開発されており、以下に示すような先願が開示されている。
【先行技術文献】
【特許文献】
【０００４】
【特許文献１】  特開２００４−１９５１６０号
【特許文献２】  実用新案登録第３１８８９４６号
【特許文献３】  実用新案登録第３０３７０４１号
【考案の概要】
【考案が解決しようとする課題】
【０００５】  前記せる特開２００４−１９５１６０号公報では、凹部を形成したスタンド本体に、パネル状やシート状の小物類その他紙類を載置するのみの構造であって、載置したパネル等が移動しやすく不安定なものであった。【０００６】  また、前記せる実用新案登録第３１８８９４６号公報の場合は、タブレット兼端末の携帯用ホルダーとして使用でき、タブレット端末を縦にも横にも傾斜させて支持可能なスタンドとして使用できる端末のスタンド兼ホルダーである。【０００７】  また、前記せる実用新案登録第３０３７０４１号公報の場合は、ペンホルダー付きクリップスタンドであって、メモ用紙を保持するクリップスタンドを装飾的な効果を伴って、使い勝手よくしたものであったが、一対の挟持プレートを上端部で圧接する方向へ付勢するバネ材等を使用するものであったが、構造や操作性に問題があった。【０００８】  しかしながら、本考案は前記せるような従来のスタンドホルダーの構造とは全く異なっており、構造も簡単で操作し易いスタンドホルダーである。【０００９】  すなわち、本考案のスタンドホルダーは、スタンドの末端に挿入ボスが突出するように固定ボスが該スタンドに埋め込まれて固定されており、該挿入ボスを挿入できる挿入ボス受け筒がスタンドの裏面に埋め込まれて固定されており、挿入ボスを該挿入ボス受け筒に挿入してスタンドを回動させることにより、矩形のフォト裏板の起立状態を横長または縦長に起立させて保持できるように構成したスタンドホルダーを提供する。
【課題を解決するための手段】
【００１０】  本考案のスタンドホルダーは、フォト裏板の背面に回転自在に保持されたスタンドを回動させることにより、フォト裏板からスタンドが抜けないように構成されたことを特徴とし、スタンドの末端に挿入ボスが突出するように、固定ボスがスタンドに埋め込まれて固定されており、挿入ボスを挿入ボス受け筒に挿入してスタンドを回転させることにより、矩形フォト裏板の起立状態を横長または縦長に起立させて保持できるように構成したことを特徴とし、スタンドの挿入ボスを挿入ボス受け筒に挿入する際に、挿入ボス受け筒の円筒部内側に縦方向のスリットが形成されており、挿入ボスの先端に一体的に形成されている円柱形の突起をスリットに合わせて挿入し、次いで挿入後スタンドを回転させることにより、挿入ボス２３の突起２４が円筒部３２の内側に形成された図５のａ寸法より数ミリ広い位置に設けたａ´凸部３４の抵抗を受けつつ乗り越えて凸部３４の角に突起２４のアール部が接し、図５のａと同じ寸法位置に設けた図６のｂの抜け止めリブ３６に滑りこむ。これによりスタンドが抜け止めリブに位置している事が確認でき、且つスタンドが抜けないことを特徴とし、挿入ボスに設けられた突起が抜け止めの位置にある場合、押しバネによって常にフランジを押し上げるため、突起が抜け止めリブの位置にあってもテンションがかかり、空回りを防ぐので、スタンドを常に好適な位置に保持することができるスタンドホルダーを提供する。
【考案の効果】
【００１１】  本考案のスタンドホルダーは、スタンドの末端に挿入ボスが突出するように、固定ボスがスタンドに埋め込まれて固定されており、また、挿入ボス受け筒がフォト裏板の裏面に埋め込まれ固定されており、挿入ボスを挿入ボス受け筒に挿入してスタンドを回動させることにより、容易に矩形フォト裏板の起立状態を横長又は縦長に起立させて保持することができる効果があり、且つフォト裏板からスタンドが抜け落ちることがない効果がある。
【図面の簡単な説明】
【００１２】
【図１】フォト裏板にスタンドを取り付けた背面から見た斜視図である。
【図２】フォト裏板にスタンドを取り付けた背面から見た斜視図である。
【図３】フォト裏板に取付けたスタンドの正面図である。
【図４】スタンドに固定ボスを埋め込み固定されたスタンドの断面図である。
【図５】図４の側面図である。
【図６】フォト裏板に埋め込まれた挿入受けボスの平面図である。
【図７】図６のＢ−Ｂ´の断面図で、フォト裏板に埋め込まれた挿入ボスの断面図である。
【図８】図７の下方の矢印Ａから見た平面図である。
【考案を実施するための形態】
【００１３】  以下、図面に基づいて、本考案を実施するための形態を具体的に説明する。
図１乃至図２に示すように、本考案のスタンドホルダーは、フォト裏板１０の背面に回動自在に保持されたスタンド２０を回動させることにより、フォト裏板１０の起立状態の位置決めができるように構成されている。
【００１４】  図１では、フォト裏板１０の背面下方にスタンド２０が取付けられており、この場合はフォト裏板１０を横長に使用するように起立させたものである。
【００１５】  図３に示すように、スタンド２０を後述するように取り付けた後で、矢印ａまたはｂのいずれかの方向に回動すると、フォト裏板１０に対するスタンド２０の位置が変わる。
【００１６】  前記せるようにスタンド２０の位置が変われば、フォト裏板１０を起立させる時に、図１乃至図２で明らかなように、フォト裏板１０の使用状態を横長状態にするか縦長状態にするかが決定される。
【００１７】  すなわち、フォト裏板１０の表面に保持する写真等が、横長に起立させた方が良い場合と、縦長方向に起立させた方が良い場合とを選ぶことができる。
【００１８】  図４に示すように、スタンド２０の先端に挿入ボス２３が突出するように固定ボス２１がスタンド２０に埋め込まれ固定されており、挿入ボス２３が挿入できる挿入ボス受け筒３０がフォト裏板１０に埋め込まれて固定されており、図６に示すように、該挿入ボス２３を挿入できる挿入ボス受け筒３０がフォト裏板１０の裏面に埋め込まれて固定されている。
【００１９】  挿入ボス２３を挿入ボス受け筒３０に挿入してスタンド２０を回動させることにより、フォト裏板１０の起立状態を横長または縦長に起立させて保持することができる。
【００２０】  挿入ボス２３を挿入ボス受け筒３０に挿入する際に、挿入ボス受け筒３０の円筒部３２の内側に縦方向のスリット３３が形成されており、該スリット３３に、挿入ボス２３の先端に一体的に形成されている突起２４が挿入され、次いで挿入後スタンド２０を回動させることにより、突起２４が円筒部３２の内側に形成された凸部３４に当接され、スタンド２０の回動時に凸部３４の摩擦に抗して、スタンド２０を回動させて、スタンド２０の位置決めができるように構成されている。
【００２１】  固定ボス２１の表面には回転止め三角リブ２２が一体的に設けられており、固定ボス２１が空回りしないように強固に埋め込まれ固定されている。
【００２２】  また、挿入ボス受け筒３０の外側側面には、回転止め三角リブ３５が一体的に設けられており、挿入ボス受け筒３０がフォト裏板内で空回りしないように強固に埋め込まれて固定されている。
【産業上の利用価値】
【００２３】  本考案は、以上説明したような構成であるので、簡単な構造で使い勝手がよく、外部から振動等の影響を受けてもフォト裏板からスタンドが安易に抜けることが無く、写真フレーム等のフォト裏板が倒れることなく使用できるので、産業上の利用価値の高いものである。
【符号の説明】
【００２４】１０．フォト裏板
２０．スタンド
２１．固定ボス
２２．回転止め三角リブ
２３．挿入ボス
２４．突起
２５．フランジ
３０．挿入ボス受け筒
３１．受けフランジ
３２．円筒部
３３．スリット
３４．凸部
３５．回転止め三角リブ
３６．抜け止めリブ
３７．押しバネ
【図１】
0003200409.tif 000003
【図２】
0003200409.tif 000004
【図３】
0003200409.tif 000005
【図４】
0003200409.tif 000006
【図５】
0003200409.tif 000007
【図６】
0003200409.tif 000008
【図７】
0003200409.tif 000009
【図８】
0003200409.tif 000010
【手続補正書】
【提出日】平成27年7月28日(2015.7.28)
【手続補正１】
【補正対象書類名】実用新案登録請求の範囲
【補正対象項目名】全文
【補正方法】変更
【補正の内容】
【実用新案登録請求の範囲】
【請求項１】
スタンドの挿入ボスをフォト裏板の挿入ボス受け筒に挿入する際に、挿入ボス受け筒の円筒部内側に縦方向のスリットが形成されており、挿入ボスの先端に一体的に形成されている円柱形の突起をスリットに合わせて挿入し、次いで挿入後スタンドを回転させることにより、挿入ボスの突起のアール部が円筒部の内側に形成された凸部の角に接し抵抗を受けつつ乗り越えて抜け止めリブに滑り込み、これによりスタンドが抜け止めリブに位置しており、フォト裏板の背面に回転自在に保持されたスタンドを回動させることにより、フォト裏板からスタンドが抜けないように構成されたことを特徴とするスタンドホルダー。
【請求項２】
フォト裏板の背面に挿入ボス受け筒が固定されており、該挿入ボス受け筒に挿入ボスを挿入して、該挿入ボスが固定されているスタンドを回動させることにより、矩形フォト裏板の起立状態を横長または縦長に起立させて保持できるように構成したことを特徴とする請求項１記載のスタンドホルダー。
【請求項３】
固定ボスの基部がスタンド先端部に挿入されており、該スタンド先端部より突出する挿入ボスの先端側面に突起が形成されており、該突起が抜け止めリブに当接されている間受けフランジより延長する押しバネが常にフランジを押し上げてテンションがかかっている為、スタンドの空回りを防ぐので、スタンドを常に好適な位置に保持することができるように構成したことを特徴とする請求項１記載のスタンドホルダー。
【手続補正２】
【補正対象書類名】明細書
【補正対象項目名】全文
【補正方法】変更
【補正の内容】
【考案の詳細な説明】
【技術分野】
【０００１】  本考案はスタンドホルダーに関し、特にフォト裏板の背面に回動自在に保持されたスタンドを回動させることにより、好適な位置にスタンドを止めることができ、その際、フォト裏板からスタンドが抜け落ちないように構成されたスタンドホルダーに関する。
【背景技術】
【０００２】  スタンドの末端に挿入ボスが突出するように、固定ボスがスタンドに埋め込まれて固定されており、挿入ボス受け筒がフォト裏板の裏面に埋め込まれ固定されており、挿入ボスを固定ボス受け筒に挿入してスタンドを回動させることにより矩形フォト裏板の起立状態を横長又は縦長に起立させて保持でき、且つ、フォト裏板からスタンドが抜け落ちることがないように構成されたスタンドホルダーを提供する。【０００３】  従来、スタンドプレートの起立状態の位置決めができるように構成したスタンドホルダーは、種々開発されており、以下に示すような先願が開示されている。
【先行技術文献】
【特許文献】
【０００４】
【特許文献１】  特開２００４−１９５１６０号
【特許文献２】  実用新案登録第３１８８９４６号
【特許文献３】  実用新案登録第３０３７０４１号
【考案の概要】
【考案が解決しようとする課題】
【０００５】  前記せる特開２００４−１９５１６０号公報では、凹部を形成したスタンド本体に、パネル状やシート状の小物類その他紙類を載置するのみの構造であって、載置したパネル等が移動しやすく不安定なものであった。【０００６】  また、前記せる実用新案登録第３１８８９４６号公報の場合は、タブレット兼端末の携帯用ホルダーとして使用でき、タブレット端末を縦にも横にも傾斜させて支持可能なスタンドとして使用できる端末のスタンド兼ホルダーである。【０００７】  また、前記せる実用新案登録第３０３７０４１号公報の場合は、ペンホルダー付きクリップスタンドであって、メモ用紙を保持するクリップスタンドを装飾的な効果を伴って、使い勝手よくしたものであったが、一対の挟持プレートを上端部で圧接する方向へ付勢するバネ材等を使用するものであったが、構造や操作性に問題があった。【０００８】  しかしながら、本考案は前記せるような従来のスタンドホルダーの構造とは全く異なっており、構造も簡単で操作し易いスタンドホルダーである。【０００９】  すなわち、本考案のスタンドホルダーは、スタンドの末端に挿入ボスが突出するように固定ボスが該スタンドに埋め込まれて固定されており、該挿入ボスを挿入できる挿入ボス受け筒がスタンドの裏面に埋め込まれて固定されており、挿入ボスを該挿入ボス受け筒に挿入してスタンドを回動させることにより、矩形のフォト裏板の起立状態を横長または縦長に起立させて保持できるように構成したスタンドホルダーを提供する。
【課題を解決するための手段】
【００１０】  本考案のスタンドホルダーは、スタンドの挿入ボスを挿入ボス受け筒に挿入する際に、挿入ボス受け筒の円筒部内側に縦方向のスリットが形成されており、挿入ボスの先端に一体的に形成されている円柱形の突起をスリットに合わせて挿入し、次いで挿入後スタンドを回転させることにより、挿入ボスの突起が円筒部の内側に形成された凸部の角に突起のアール部が接し、凸部の抵抗を受けつつ乗り越えて抜け止めリブに滑り込み、これによりスタンドが抜け止めリブに位置しており、フォト裏板の背面に回転自在に保持されたスタンドを回動させることにより、フォト裏板からスタンドが抜けないように構成し、フォト裏板の背面に挿入ボス受け筒が固定されており、該挿入ボス受け筒に挿入ボスを挿入して、該挿入ボスが固定されているスタンドを回動させることにより、矩形フォト裏板の起立状態を横長または縦長に起立させて保持できるように構成し、且つ、固定ボスの基部がスタンド先端部に挿入されており、該スタンド先端部より突出する挿入ボスの先端側面に突起が形成されており、該突起が抜け止めリブに当接されていても、受けフランジより延長する押しバネが常にフランジを押し上げてテンションがかかっているので、スタンドの空回りを防ぐので、スタンドを常に好適な位置に保持することができるように構成したスタンドホルダーである。【００１１】  更に詳しくは、本考案のスタンドホルダーは、フォト裏板１０からスタンド２０が抜けないように構成されており、スタンド２０の末端に挿入ボス２３が突出するように、固定ボス２１がスタンド２０に埋め込まれて固定されており、挿入ボス２３を挿入ボス受け筒３０に挿入してスタンド２０を回転させることにより、矩形のフォト裏板１０の起立状態を図１乃至図２に示すように横長または縦長に起立させて保持できるように構成されており、スタンド２０の挿入ボス２３を挿入ボス受け筒３０に挿入する際に、挿入ボス受け筒３０の円筒部３２の内側に縦方向のスリット３３が形成されており、挿入ボス２３の先端に一体的に形成されている円柱形の突起２４をスリット３３に合わせて挿入し、次いで挿入後スタンド２０を回転させることにより、挿入ボス２３の突起２４が円筒部３２の内側に形成された図５のａ寸法より数ミリ広い位置に設けたａ´凸部３４の角に突起２４のアール部が接し抵抗を受けつつ図５のａと同じ寸法位置に設けた図７のｂの抜け止めリブ３６に滑りこむ。これによりスタンド２０が抜け止めリブ３６に位置している事が確認でき、且つスタンド２０が抜けないように構成されている。【００１２】  また、挿入ボス２３に設けられた突起２４が抜け止めリブ３６の位置にある場合、押しバネ３７によって常にフランジ２５を押し上げるため、突起２４が抜け止めリブ３６の位置にあってもテンションがかかり、空回りを防ぐので、スタンド２０を常に好適な位置に保持することができるスタンドホルダーである。
【考案の効果】
【００１３】  本考案のスタンドホルダーは、スタンドの末端に挿入ボスが突出するように、固定ボスがスタンドに埋め込まれて固定されており、また、挿入ボス受け筒がフォト裏板の裏面に埋め込まれ固定されており、挿入ボスを挿入ボス受け筒に挿入してスタンドを回動させることにより、容易に矩形フォト裏板の起立状態を横長又は縦長に起立させて保持することができる効果があり、且つフォト裏板からスタンドが抜け落ちることがない効果がある。
【図面の簡単な説明】
【００１４】
【図１】フォト裏板にスタンドを取り付けた背面から見た斜視図である。
【図２】フォト裏板にスタンドを取り付けた背面から見た斜視図である。
【図３】フォト裏板に取付けたスタンドの正面図である。
【図４】スタンドに固定ボスを埋め込み固定されたスタンドの断面図である。
【図５】図４の側面図である。
【図６】フォト裏板に埋め込まれた挿入受けボスの平面図である。
【図７】図６のＢ−Ｂ´の断面図で、フォト裏板に埋め込まれた挿入ボスの断面図である。
【図８】図７の下方の矢印Ａから見た平面図である。
【図９】挿入ボス受け筒を部分断面とする斜視図である。
【考案を実施するための形態】
【００１５】  以下、図面に基づいて、本考案を実施するための形態を具体的に説明する。
図１乃至図２に示すように、本考案のスタンドホルダーは、フォト裏板１０の背面に回動自在に保持されたスタンド２０を回動させることにより、フォト裏板１０の起立状態の位置決めができるように構成されている。
【００１６】  図１では、フォト裏板１０の背面下方にスタンド２０が取付けられており、この場合はフォト裏板１０を横長に使用するように起立させたものである。
【００１７】  図３に示すように、スタンド２０を後述するように取り付けた後で、矢印ａまたはｂのいずれかの方向に回動すると、フォト裏板１０に対するスタンド２０の位置が変わる。
【００１８】  前記せるようにスタンド２０の位置が変われば、フォト裏板１０を起立させる時に、図１乃至図２で明らかなように、フォト裏板１０の使用状態を横長状態にするか縦長状態にするかが決定される。
【００１９】  すなわち、フォト裏板１０の表面に保持する写真等が、横長に起立させた方が良い場合と、縦長方向に起立させた方が良い場合とを選ぶことができる。
【００２０】  図４に示すように、スタンド２０の先端に挿入ボス２３が突出するように固定ボス２１がスタンド２０に埋め込まれ固定されており、挿入ボス２３が挿入できる挿入ボス受け筒３０がフォト裏板１０に埋め込まれて固定されており、図６に示すように、該挿入ボス２３を挿入できる挿入ボス受け筒３０がフォト裏板１０の裏面に埋め込まれて固定されている。
【００２１】  挿入ボス２３を挿入ボス受け筒３０に挿入してスタンド２０を回動させることにより、フォト裏板１０の起立状態を横長または縦長に起立させて保持することができる。
【００２２】  挿入ボス２３を挿入ボス受け筒３０に挿入する際に、挿入ボス受け筒３０の円筒部３２の内側に縦方向のスリット３３が形成されており、該スリット３３に、挿入ボス２３の先端に一体的に形成されている突起２４が挿入され、次いで挿入後スタンド２０を回動させることにより、突起２４が円筒部３２の内側に形成された凸部３４に当接され、スタンド２０の回動時に凸部３４の摩擦に抗して、スタンド２０を回動させて、スタンド２０の位置決めができるように構成されている。
【００２３】  固定ボス２１の表面には回転止め三角リブ２２が一体的に設けられており、固定ボス２１が空回りしないように強固に埋め込まれ固定されている。
【００２４】  また、挿入ボス受け筒３０の外側側面には、回転止め三角リブ３５が一体的に設けられており、挿入ボス受け筒３０がフォト裏板内で空回りしないように強固に埋め込まれて固定されている。
【産業上の利用価値】
【００２５】  本考案は、以上説明したような構成であるので、簡単な構造で使い勝手がよく、外部から振動等の影響を受けてもフォト裏板からスタンドが安易に抜けることが無く、写真フレーム等のフォト裏板が倒れることなく使用できるので、産業上の利用価値の高いものである。
【符号の説明】
【００２６】１０．フォト裏板
２０．スタンド
２１．固定ボス
２２．回転止め三角リブ
２３．挿入ボス
２４．突起
２５．フランジ
３０．挿入ボス受け筒
３１．受けフランジ
３２．円筒部
３３．スリット
３４．凸部
３５．回転止め三角リブ
３６．抜け止めリブ
３７．押しバネ
【手続補正３】
【補正対象書類名】図面
【補正対象項目名】図７
【補正方法】変更
【補正の内容】
【図７】
0003200409.tif 000011
【手続補正４】
【補正対象書類名】図面
【補正対象項目名】図９
【補正方法】追加
【補正の内容】
【図９】
0003200409.tif 000012